【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
制御環境チャンバ内で使用する電気誘導溶解アセンブリであって、
誘導溶解炉にして、
前記誘導溶解炉のるつぼを包囲する１つ又は１つ超の誘導コイルからの少なくとも１本の炉誘導コイル電線と、
少なくとも１つの炉スペードアセンブリにして、
前記制御環境チャンバ内の制御環境に対する圧力プレート開口部を有し且つ前記誘導溶解炉に装着した圧力プレート、前記圧力プレート開口部をシールする炉スペード電力ポート、前記炉スペード電力ポートを貫いて突出する正負の各少なくとも１つの炉電気スペードにして、前記制御環境内で前記圧力プレートの１つの側部において、前記少なくとも１本の炉誘導コイル電線を連結した正負の各少なくとも１つの炉電気スペードを含む炉スペードアセンブリと、
前記制御環境チャンバ内で前記誘導溶解炉を座着させるクレイドルにして、
少なくとも１つの外部電力ポート、前記クレイドルの、炉電気スペード開口部を有する内側クレイドル容積部内に配置された少なくとも１つのクレイドルスペードアセンブリにして、前記内側クレイドル容積部内で前記少なくとも１つの外部電力ポートに連結した正負の各少なくとも１つのクレイドル電気スペード、を含むクレイドルスペードアセンブリ、前記内側クレイドル容積部内に配置され且つ開位置及び閉位置を有する少なくとも１つのスペードクランプアセンブリにして、正負の各少なくとも１つのクレイドルクランプ電気スペード、前記正負の各少なくとも１つのクレイドルクランプ電気スペードを前記開位置及び閉位置間で移動させるアクチュエータ、を含み、前記少なくとも正負の各１つのクレイドルクランプ電気スペードが、前記正負の各少なくとも１つのクレイドル電気スペードの対向する各側部に配置されるスペードクランプアセンブリ、を含むクレイドル、
を含む前記誘導溶解炉を含み、
前記誘導溶解炉を前記クレイドル上に座着させると、前記圧力プレートが前記炉電気スペード開口部を覆ってシールし、前記正負の各少なくとも１つの炉電気スペードが前記内側クレイドル容積部に貫入され、前記内側クレイドル容積部内にシールされたクレイドル環境が形成され、前記シールされたクレイドル環境が前記制御環境チャンバ内で前記制御環境から隔絶され、かくして、前記少なくとも１つのスペードクランプアセンブリが閉位置を取ると、前記シールされたクレイドル環境内で前記少なくとも１つの正負の各クレイドルクランプ電気スペードが、（１）正の各前記少なくとも１つの炉電気スペード及び正の各前記少なくとも１つのクレイドル電気スペードと、（２）負の各前記少なくとも１つの炉電気スペード及び負の各前記少なくとも１つのクレイドル電気スペードと、の間に１つの電気回路が完成される電気誘導溶解アセンブリ。
【請求項２】
前記炉スペード電力ポートが前記圧力プレートと一体化される請求項１に記載の電気誘導溶解アセンブリ。
【請求項３】
前記クレイドルが、前記クレイドル内に前記誘導溶解炉が座着された場合に制御環境チャンバの制御環境内で誘導溶解炉を傾倒させる傾倒クレイドルにして、トラニオン軸を中心として前記傾倒クレイドルを回転させるクレイドルトラニオンを有する傾倒クレイドルである請求項１又は２に記載の電気誘導溶解アセンブリ。
【請求項４】
一対の電動シリンダを更に含み、前記電動シリンダがクランクアームの各対向端部に連結され、かくして、前記クレイドルトラニオンの各対向端部の周囲に嵌着したクランクアームに前記傾倒クレイドル及び誘導溶解炉を回転させる対向力を提供する請求項３に記載の電気誘導溶解アセンブリ。
【請求項５】
前記圧力プレートと、炉電気スペード開口部の頂部とにおける精密仕上げされた各対向表面により、前記圧力プレートが炉電気スペード開口部の頂部を覆ってシールされる請求項１〜３の何れか又は４に記載の電気誘導溶解アセンブリ。
【請求項６】
前記圧力プレートと前記炉電気スペード開口部の頂部との各対向方面間にシール要素を更に含む請求項５に記載の電気誘導溶解アセンブリ。
【請求項７】
前記炉電気スペード開口部を覆って前記圧力プレートをクランプするバネ負荷クランプ装置を更に含む請求項１〜５の何れか又は６に記載の電気誘導溶解アセンブリ。
【請求項８】
前記少なくとも１つの外部電力ポートが、１つ又は１つ超の交流電源に接続した正負の各少なくとも１つの可撓性の外部電気接続部にして、クレイドルトラニオン内のシール要素を貫いて内側クレイドル容積部に入る外部電気接続部を含む請求項３〜７の何れかに記載の電気誘導溶解アセンブリ。
【請求項９】
前記少なくとも１つの外部電力ポートが、
同中心の正負の各少なくとも１つのパワーバスにして、前記トラニオン軸と整列され且つ前記クレイドルトラニオン内のシール要素を貫いて内側クレイドル容積部に入り、かくして、前記トラニオン軸を中心とする前記傾倒クレイドルの回転と共に前記トラニオン軸を中心として回転するパワーバスを含む請求項３〜７の何れかに記載の電気誘導溶解アセンブリ。
【請求項１０】
制御環境チャンバ内の制御環境内に配置したクレイドル内に着脱自在に組み込んだ誘導溶解炉にして、１つ又は１つ超の炉コイル電線を有し、前記炉コイル電線が、前記誘導溶解炉の１つ又は１つ超の炉誘導コイルから、前記誘導溶解炉上の圧力プレートにシール自在に装着した炉スペード電力ポート内に配置され且つ前記圧力プレートを貫く正負の各少なくとも１つの炉電気スペードに延びる前記誘導溶解炉の運転方法であって、
前記制御環境チャンバ内に制御環境が確立されるに先立ちクレイドル上に前記誘導溶解炉を座着させ、かくして、前記圧力プレートが前記クレイドルの内側クレイドル容積部の炉電気スペード開口部を覆うシールを形成し、前記内側クレイドル容積部内のシールされた内側クレイドル環境内に正負の各少なくとも１つの炉電気スペードが貫入され、前記内側クレイドル容積部にクレイドルスペードアセンブリ及びスペードクランプアセンブリが格納されるステップ、
前記クレイドル上に前記誘導溶解炉を座着させた後、前記制御環境チャンバ内に制御環境を形成し、かくして前記シールされた内側クレイドル環境を制御環境から隔絶させるステップ、
前記シールされた内側クレイドル環境内で正負の各少なくとも１つのクレイドルクランプ電気スペードをその開位置から閉位置に移動させ、かくして、（１）前記圧力プレートを貫いて前記シールされた内側クレイドル環境内に入る正の各少なくとも１つの炉電気スペード及び、前記クレイドルスペードアセンブリに関連し且つ前記制御環境の外部に位置付けた外部電源の正端子に接続されて前記シールされた内側クレイドル環境に給電する正の各少なくとも１つのクレイドル電気スペードと、（２）前記圧力プレートを貫いて前記シールされた内側クレイドル環境内に入る負の各少なくとも１つの炉電気スペード及び、前記クレイドルスペードに関連し且つ前記外部電源の負端子に接続された負の各少なくとも１つのクレイドル電気スペード、との間に１つの電気回路を完成し、かくして、前記外部電源の正負の各端子からの電力を、前記１つ又は１つ超の炉誘導コイルに提供するステップ、
を含む方法。
【請求項１１】
前記クレイドル上に誘導溶解炉を座着させた後、クレイドル上に設けたトラニオンの各対向端部に嵌着したクランクアームに対向力を行使して前記誘導溶解炉及びクレイドルを前記トラニオンの中心軸を中心に回転させるステップを更に含む請求項１０に記載の方法。
【請求項１２】
前記制御環境チャンバ内に制御環境が確立されるに先立ち且つ前記クレイドル上に誘導溶解炉を座着させた後、炉電気スペード開口の頂部を覆って圧力プレートをクランプするステップを更に含む請求項１０又は１１に記載の方法。
【請求項１３】
前記正の少なくとも１つのクレイドルクランプ電気スペード及び負の少なくとも１つのクレイドルクランプ電気スペードをその閉位置から開位置に移動させ、かくして、（１）圧力プレートを貫いてシールされた内側クレイドル環境内に入る正の各少なくとも１つの炉電気スペード及び正の各少なくとも１つのクレイドル電気スペードと、（２）圧力プレートを貫いてシールされた内側クレイドル環境に入る負の各少なくとも１つの炉電気スペード及び負の各少なくとも１つのクレイドル電気スペードと、の間の電気回路を開放させ、かくして、前記外部電源の正負の各端子から１つ又は１つ超の誘導コイルへの電力を切断するステップを更に含む請求項１０、１１の何れか又は１２に記載の方法。
【請求項１４】
制御環境チャンバ内で誘導溶解炉がクレイドル上に座着され、正の少なくとも１つのクレイドルクランプ電気スペード及び負の少なくとも１つのクレイドルクランプ電気スペードが開位置を取る状態下に制御環境を解放させてクレイドルから誘導溶解炉を取り外すステップを更に含む請求項１０〜１２の何れか又は１３に記載の方法。